(57)【要約】【課題】接着剤の塗布面を簡単かつ確実に識別することができて使い勝手のよい接着芯地を提供する。【解決手段】基布１の表面に熱可塑性の接着剤２を塗布した接着芯地であって、前記基布１の表面側１ａあるいは裏面側１ｂのいずれかに接着面識別用のマーク３を印刷した。また、接着面識別用のマーク３が、接着剤の塗布がされていない非コーティング部４に印刷されているのが好ましく、また、基布１の裏面側１ｂに接着剤２が塗布されているとともに、接着面識別用のマーク３が印刷されているものとするのが好ましい。【選択図】図１
0003158490.tif 000002
【実用新案登録請求の範囲】
【請求項１】
基布の表面に熱可塑性の接着剤を塗布した接着芯地であって、前記基布の表面側あるいは裏面側のいずれかに接着面識別用のマークを印刷したことを特徴とする接着芯地。
【請求項２】
接着面識別用のマークが、接着剤の塗布がされていない非コーティング部に印刷されている請求項１に記載の接着芯地。
【請求項３】
基布の裏面側に接着剤が塗布されているとともに、接着面識別用のマークが印刷されている請求項１または２に記載の接着芯地。
【考案の詳細な説明】
【技術分野】
【０００１】
本考案は、接着剤の塗布面を簡単かつ確実に識別することができて使い勝手のよい接着芯地に関するものである。
【背景技術】
【０００２】
従来から、衣服の生地に形態安定性を付与して縫製作業を向上させたり、着心地や風合いを向上させるために各種の接着芯地が用いられている（例えば、特許文献１や特許文献２を参照）。
この接着芯地は、織物、編物、不織布などを基布とし、この基布の表面に熱を加えることにより接着性を発揮する熱可塑性の合成樹脂からなる接着剤（ホットメルト型接着剤）を塗布したものである。この接着剤は、基布表面にドット状、パウダー状、ネット状、ランダム状、フィルム状等の任意の形態で塗布されているのが普通である。
【０００３】
一方、最近ではより軽量化を図った接着芯地や、婦人用ブラウスやドレス等の薄い生地にも適用できる接着芯地が要求されるようになってきており、この場合は極めて薄い基布が使用され、これに伴い接着剤も微粒子化してきている。
【０００４】
しかしながら、基布表面に微粒子化した接着剤が塗布してある接着芯地の場合、接着剤を認識することは視覚的にも感触的にも非常に困難であり、専門家でない人が接着芯地を取り扱うと接着剤の塗布面を正確に認識できず、生地側に正しい状態でセットすることができない場合があった。この結果、接着芯地をセットし直す作業が必要で作業効率が劣るという問題点や、新たな接着芯地を再セットする必要がありコストアップになるという問題点があった。
【先行技術文献】
【特許文献】
【０００５】
【特許文献１】特開平６−１４５４１３号公報
【特許文献２】特開２００２−３７１４１４号公報
【考案の概要】
【考案が解決しようとする課題】
【０００６】
本考案は上記のような問題点を解決して、微粒子化した接着剤の塗布面を簡単かつ確実に識別することができて優れた使い勝手を発揮することができる接着芯地を提供することを目的として完成されたものである。
【課題を解決するための手段】
【０００７】
上記課題を解決するためになされた本考案の接着芯地は、基布の表面に熱可塑性の接着剤を塗布した接着芯地であって、前記基布の表面側あるいは裏面側のいずれかに接着面識別用のマークを印刷したことを特徴とするものである。
【０００８】
また、接着面識別用のマークが、接着剤の塗布がされていない非コーティング部に印刷されていることが好ましく、これを請求項２に係る考案とする。
【０００９】
更に、基布の裏面側に接着剤が塗布されているとともに、接着面識別用のマークが印刷されていることが好ましく、これを請求項３に係る考案とする。
【考案の効果】
【００１０】
請求項１に係る考案では、基布の表面あるいは裏面のいずれかに接着面識別用のマークを印刷したので、接着芯地を誰が取り扱っても前記接着面識別用のマークを目印にして微粒子化した接着剤であっても、その塗布面を簡単かつ正確に認識することができることとなり、接着芯地を生地に対して常に正しい状態でセットすることが可能となる。
【００１１】
また、請求項２に係る考案では、接着面識別用のマークが、接着剤の塗布がされていない非コーティング部に印刷されているものとしたので、前記マークが芯地の使用に悪影響を与えることはない。
【００１２】
また、請求項３に係る考案では、基布の裏面側に接着剤が塗布されているとともに、接着面識別用のマークが印刷されているので、マークのある面を生地側にセットするだけで正しい状態にセットすることができ、作業の確実性と迅速性を向上させることができる。
【図面の簡単な説明】
【００１３】
【図１】本考案の実施の形態を示す斜視図である。
【図２】その他の実施の形態を示す要部の断面図である。
【考案を実施するための形態】
【００１４】
以下に、図面を参照しつつ本考案の好ましい実施の形態を示す。
図１は、本発明に係る接着芯地の一例を示す斜視図である。図において、１は基布、１ａは基布１の表面側、１ｂは裏面側であり、２は基布１の表面に塗布された微粒子化した接着剤、３は前記基布１に印刷された接着面識別用のマークである。なお、以下の説明においては、接着剤２が塗布されてない側を表面側１ａ、接着剤２が塗布された側を裏面側１ｂという。
【００１５】
前記接着面識別用のマーク３は、微粒子化した接着剤の塗布面を簡単かつ正確に認識するためのものであり、基布１の表面側１ａあるいは裏面側１ｂのいずれに設けてもよく、また印刷する図柄も文字、図形など任意のものを選択することができる。
なお、前記マーク３は印刷に限定されるものでなく、コーティングや吹き付け処理、極薄フィルムの貼付等、任意の処理方法によっても形成することができる。
【００１６】
図示のものでは、前記マーク３を裏面側１ｂに設け、また「接着面」という文字を使用し、このマーク３を読み取ることで、誰が取り扱っても前記接着面識別用のマーク３を目印に接着剤の塗布面（基布１の裏面側１ｂ）を簡単かつ正確に認識できるよう構成されている。
【００１７】
また、この接着面識別用のマーク３は、基本的には基布１の端部に位置して、接着剤２の塗布がされていない非コーティング部４に印刷されるのが好ましい。この非コーティング部４は、裁断されて芯地からは除外される部分であり、印刷マークが悪影響を及ぼして芯地の商品価値を落とすこともない。
勿論、接着剤２が塗布されている部分に印刷しても問題はなく、図２の要部の拡大断面図に示すように、接着剤２が塗布される裏面側１ｂに先ず接着面識別用のマーク３を印刷しておき、その上に接着剤２を塗布した構成でも、また先に接着剤２を塗布しておき、その上にマーク３を印刷した構成でもよい。
なお、接着面識別用のマーク３は通常のスクリーン印刷によって簡単に形成することができるが、その他、吹き付け処理やフィルム貼付等によっても形成することができる。
【００１８】
前記基布１は、織物、編物、不織布のいずれも使用することができる。
織物や編物の素材としては、綿等の天然繊維や、ポリエステル、アクリル、ナイロン、レーヨン等の化学繊維が使用できる。織物組織としては、平織り、朱子織り、綾織り等のいずれであってもよい。また、編物組織としては、トリコット、緯糸装入経編などのいずれであってもよい。また不織布としては、ポリエステル、アクリル、ナイロン、レーヨン等の化学繊維が使用できる。不織布組織としては、ランダム、パラレル、クロス、パンチド等のいずれであってもよい。
【００１９】
前記接着剤２は、熱を加えることにより接着性を発揮する熱可塑性の合成樹脂からなる微粒子化した接着剤が使用される。この接着剤２はホットメルト型接着剤と称され、具体的にはポリアミド系、ポリ塩化ビニル（ＰＶＣ）系、ポリエチレン系、エチレン酢ビ共重合体（ＥＶＡ）系、ポリエステル系等の公知の接着剤が使用可能である。
ここで微粒子化した接着剤２とは、粒径が２００μｍ以下の粉末状のものを意味し、基布上に塗布した場合、素人目には接着剤２の存在が視覚的にも感触的にも識別することが困難なものである。
【００２０】
この接着剤２の塗布形状としては、ドット状、パウダー状、ネット状、ランダム状、くもの巣状等の任意の形態で塗布することができる。更には、極薄のフィルム状に成形した接着剤シートを基布１の表面に貼着することもできる。
また、接着剤２の塗布方法としては、スクリーン印刷、パウダー散布、スプレー塗り等の一般的な塗布方法を使用することができる。
【００２１】
また、微粒子化した接着剤２は無色透明のものであり通常は基布に塗布されていてもほとんど判らないものであるが、基布１が着色されている場合はその基布と同色透明であってもよいものであり、いずれにせよこの微粒子化した接着剤２を認識することは、専門家以外の人にとっては視覚的にも感触的にも非常に困難な状態となっている。そして、このような微粒子化した接着剤２を用いることにより、特に接着芯地を婦人用ブラウスやドレス等の薄い生地に適用した場合でも、接着剤が目立つことがなくなる。
【００２２】
以上のように、本考案では基布１の表面に微粒子化した熱可塑性の接着剤２を塗布した接着芯地であって、前記基布１の表面側１ａあるいは裏面側１ｂのいずれかに接着面識別用のマーク３を印刷した構造であるので、この接着面識別用のマーク３を目印にして接着剤の塗布面を簡単かつ正確に認識することが可能となる。従って、接着芯地を芯地についての知識の少ない人が取り扱っても接着剤の塗布面を簡単かつ確実に見分けることができるため、生地に対して常に正しい状態でセットすることが可能となり、縫製トラブルを防止できるとともに、作業効率も大いに向上できることとなる。
【符号の説明】
【００２３】
１  基布
１ａ  表面側
１ｂ  裏面側
２  接着剤
３  接着面識別用のマーク
４  非コーティング部
【図１】
0003158490.tif 000003
【図２】
0003158490.tif 000004